(57)【要約】 【課題】  各コンテンツの使用制限に応じて、識別情報を操作者に直感的にわかりやすく表示することができる情報処理装置を提供する。【解決手段】  携帯形通信装置１によれば、ＣＰＵ３によって、各コンテンツ情報と制限情報とが関連付けられて記憶部６に記憶される。ＣＰＵ３は、コンテンツ名の一覧を表示するにあたって、コンテンツ名に関連付けられる制限情報に基づいて、使用制限に応じた表示形態でコンテンツ名を表示するように表示部２を制御する。したがってコンテンツ名の一覧では、使用制限に応じて、コンテンツ名を異なった表示形態で表示される。これによって操作者は、コンテンツ名の一覧を視認すると、制限情報も視認することができる。これによって制限情報の確認が容易となり、使用制限に応じて、各コンテンツ情報を使用することができる。したがって利便性が向上する。【選択図】      図１
2006092307.tif 000002
【特許請求の範囲】
【請求項１】
複数のコンテンツ情報を記憶する記憶手段と、
情報を表示する表示手段と、
各コンテンツ情報に使用制限が存在する場合、その使用制限に関する制限情報を関連付けて記憶するように記憶手段を制御し、記憶手段に記憶されるコンテンツ情報を識別する識別情報の一覧を表示するにあたって、使用制限に応じた表示形態で表示するように表示手段を制御する制御手段とを含むことを特徴とする情報処理装置。
【請求項２】
制御手段は、使用制限に応じた異なる表示色で識別情報を表示させることを特徴とする請求項１に記載の情報処理装置。
【請求項３】
制御手段は、使用制限に応じた異なる文字のフォントで識別情報を表示させることを特徴とする請求項１または２に記載の情報処理装置。
【請求項４】
制御手段は、使用制限に応じた異なるキャラクタを付加して識別情報を表示させることを特徴とする請求項１〜３のいずれかに記載の情報処理装置。
【請求項５】
制御手段は、使用制限に応じた文字情報を付加して識別情報を表示させることを特徴とする請求項１〜４のいずれか１つに記載の情報処理装置。
【請求項６】
識別情報を選択する選択手段をさらに含み、
制御手段は、選択手段によって識別情報が選択されると、前記選択された識別情報に対応するコンテンツ情報の使用制限に応じた文字情報を、予め定める表示領域に表示させることを特徴とする請求項１〜５のいずれか１つに記載の情報処理装置。
【請求項７】
制御手段は、選択手段によって識別情報が選択されると、前記選択された識別情報に対応するコンテンツ情報の使用制限に応じた文字情報を、識別情報が表示されている表示領域に近接している近接領域に重畳して表示させることを特徴とする請求項６に記載の情報処理装置。
【請求項８】
制御手段は、１つ識別情報と、前記識別情報に対応するコンテンツ情報の使用制限に応じた文字情報とだけを表示させるにあたって、使用制限に応じた表示色で前記識別情報と前記文字情報とを表示させることを特徴とする請求項１〜７のいずれか１つに記載の情報処理装置。
【請求項９】
請求項１〜８のいずれか１つに記載の情報処理装置と、
通信網を介して他の通信装置と通信する通信手段とを含み、
コンテンツ情報は、通信手段によって通信網を介して取得した情報であることを特徴とする通信装置。
【請求項１０】
通信装置は、携帯形通信装置であることを特徴とする請求項９に記載の通信装置。
【発明の詳細な説明】
【技術分野】
【０００１】
本発明は、複数のコンテンツ情報が使用可能な情報処理装置および通信装置に関する。
【背景技術】
【０００２】
操作者は、通信装置を用いて、たとえばゲーム、ムービー画像、静止画像、およびサウンドなどのコンテンツ情報を、通信装置の記憶部にダウンロードして保存し、保存されたコンテンツ情報を使用する。このようなコンテンツ情報の使用方法を提供するサービスの形態が広まっている。
【０００３】
操作者がダウンロードしたコンテンツ情報は、たとえば通信装置上でゲームとして実行されたり、通信装置の表示部の待ち受け画面の壁紙表示に使用されたり、または着信音として使用される。これらのコンテンツ情報には、著作権または課金が発生するものがある。このような著作権または課金が発生するコンテンツ情報は、たとえば転送不可（
Forward-Lock）、使用回数制限（Count）、または使用期間制限（date time）などの使用制限が課されている場合が多い。たとえば、使用期間制限がされているサウンドでは、使用有効期限が過ぎた場合、着信音として再生することが禁止される。
【０００４】
通信装置の記憶部に保存されているコンテンツ情報であって、期限切れで使用することができないコンテンツ情報には、所定の手続きを行えば再度使用可能な状態に復帰させることができるサービスもある。このようなサービスがあるので、コンテンツ情報の一覧表示画面では期限切れであることを明示して表示させておく配慮も必要である。
【０００５】
コンテンツ情報の利用権の検証の方法に関して、第１の従来の技術が、特許文献１に記載されている。特許文献１には、利用権の存在するコンテンツ情報を通信端末側に出力するとき、利用権の権利検証方法が記載されている。第１の従来の技術では、コンテンツ情報に予め付されている第１の電子署名と、利用権を示す情報に付されている第２の電子署名とを用いて、コンテンツ情報の利用権の検証を行っている。このような方法によって、コンテンツ情報が使用制限を越えて不正に使用されることを防いでいる。
【０００６】
第２の従来の技術は、特許文献２に記載されている。特許文献２に記載される技術では、ユーザがコンテンツ情報を使用するとき、通信端末がサーバにユーザの個人情報を送信する。サーバは、個人情報を受信すると、個人情報に基づいてコンテンツ情報による接続可否の認証を行っている。このような認証を行うことによって、ユーザがコンテンツ情報を使用制限を越えて不正に使用されることを防ぎ、かつユーザのコンテンツ情報の使用度数を管理している。また第３の従来の技術として、第２の従来の技術に類似の技術が、特許文献３に記載されている。
【０００７】
コンテンツ情報の利用権の管理は、総称してデジタル権利管理（Digital Rights
Management：略称ＤＲＭ)と呼ばれているが、携帯電話向けなどの規格に関しては、非特許文献１に記載され、世界的には Open Mobile Allianceという団体がDigital Right
Management   Version1.0 (OMA-DRM-v1_0-20031113-C) という規格をまとめている。
【０００８】
【特許文献１】特開２００３−３０８２４９号公報
【特許文献２】特開２００１−３５７３１２号公報
【特許文献３】特開２００３−１５７３３５号公報
【非特許文献１】http://www.openmobilealliance.com
【発明の開示】
【発明が解決しようとする課題】
【０００９】
通信装置に保存されたコンテンツ情報に、たとえば転送禁止、有効期限期日指定、または使用回数指定などの使用制限が存在した場合、保存されたコンテンツ名の一覧を表示する場合には、それぞれのコンテンツ情報に対して使用制限事項や状況を操作者に明確に示すことが望ましいが、通信装置で表示サイズの制限などがあり、これまで操作者にわかりやすい形で表示することは難しかった。
【００１０】
利用権の使用状況として多くの状態が存在するが、携帯電話のような小さな表示装置しかもたない通信装置では、小さい表示部にこれら多くの種類の使用制限情報を操作者に直感的にわかりやすく表示するのは困難であった。
【００１１】
したがって本発明の目的は、各コンテンツ情報の使用制限に応じて、識別情報を操作者に直感的にわかりやすく表示することができる情報処理装置を提供することである。
【課題を解決するための手段】
【００１２】
本発明は、複数のコンテンツ情報を記憶する記憶手段と、
情報を表示する表示手段と、
各コンテンツ情報に使用制限が存在する場合、その使用制限に関する制限情報を関連付けて記憶するように記憶手段を制御し、記憶手段に記憶されるコンテンツ情報を識別する識別情報の一覧を表示するにあたって、使用制限に応じた表示形態で表示するように表示手段を制御する制御手段とを含むことを特徴とする情報処理装置である。
【００１３】
本発明に従えば、制御手段によって、各コンテンツ情報と制限情報とが関連付けられて記憶手段に記憶される。制御手段は、識別情報の一覧を表示するにあたって、識別情報に関連付けられる制限情報に基づいて、使用制限に応じた表示形態で識別情報を表示するように表示手段を制御する。したがって識別情報の一覧では、使用制限に応じて、識別情報を異なった表示形態で表示される。これによって操作者は、識別情報の一覧を視認すると、制限情報も視認することができる。これによって制限情報の確認が容易となり、使用制限に応じて、各コンテンツ情報を使用することができる。したがって利便性が向上する。
【００１４】
また本発明は、制御手段は、使用制限に応じた異なる表示色で識別情報を表示させることを特徴とする。
【００１５】
本発明に従えば、制御手段は、使用制限に応じた異なる表示色で識別情報を表示させる。これによって操作者は、表示色によって各コンテンツ情報の制限情報を確認することができる。したがって操作者は、制限情報を容易に確認することができる。
【００１６】
さらに本発明は、制御手段は、使用制限に応じた異なる文字のフォントで識別情報を表示させることを特徴とする。
【００１７】
本発明に従えば、制御手段は、使用制限に応じた異なる文字のフォントで識別情報を表示させる。これによって操作者は、文字のフォントによって各コンテンツ情報の制限情報を確認することができる。また表示手段がカラー表示できないような構成であっても、操作者は、文字のフォントによって制限情報を確認することができる。
【００１８】
さらに本発明は、制御手段は、使用制限に応じた異なるキャラクタを付加して識別情報を表示させることを特徴とする。
【００１９】
本発明に従えば、制御手段は、使用制限に応じた異なるキャラクタを付加して識別情報を表示させる。これによって操作者は、キャラクタによって各コンテンツ情報の制限情報を確認することができる。操作者がその内容を容易に認識できるキャラクタを用いることによって、小さい表示領域であって、多くの情報を操作者に表示することができる。
【００２０】
さらに本発明は、制御手段は、使用制限に応じた文字情報を付加して識別情報を表示させることを特徴とする。
【００２１】
本発明に従えば、制御手段は、使用制限に応じた文字情報を付加して識別情報を表示させる。これによって操作者は、文字情報によって各コンテンツ情報の制限情報を確認することができる。
【００２２】
さらに本発明は、識別情報を選択する選択手段をさらに含み、
制御手段は、選択手段によって識別情報が選択されると、前記選択された識別情報に対応するコンテンツ情報の使用制限に応じた文字情報を、予め定める表示領域に表示させることを特徴とする。
【００２３】
本発明に従えば、制御手段は、選択手段によって識別情報が選択されると、前記選択された識別情報に対応するコンテンツ情報の使用制限に応じた文字情報を、予め定める表示領域に表示させる。これによって操作者は、選択した識別情報に対応する制限情報を、文字情報によって確認することができる。
【００２４】
さらに本発明は、制御手段は、選択手段によって識別情報が選択されると、前記選択された識別情報に対応するコンテンツ情報の使用制限に応じた文字情報を、識別情報が表示されている表示領域に近接している近接領域に重畳して表示させることを特徴とする。
【００２５】
本発明に従えば、制御手段は、選択手段によって識別情報が選択されると、前記選択された識別情報に対応するコンテンツ情報の使用制限に応じた文字情報を、識別情報が表示されている表示領域に近接している近接領域に重畳して表示させる。これによって操作者は、選択した識別情報に対応する制限情報を、文字情報によって確認することができる。文字情報を近接領域に重畳して表示させるので、表示手段による表示領域が小さい場合であっても、制限情報を確認することができる。
【００２６】
さらに本発明は、制御手段は、１つ識別情報と、前記識別情報に対応するコンテンツ情報の使用制限に応じた文字情報とだけを表示させるにあたって、使用制限に応じた表示色で前記識別情報と前記文字情報とを表示させることを特徴とする。
【００２７】
本発明に従えば、制御手段は、１つ識別情報と、前記識別情報に対応するコンテンツ情報の使用制限に応じた文字情報とだけを表示させるにあたって、使用制限に応じた表示色で前記識別情報と前記文字情報とを表示させる。これによって操作者は、表示色と文字情報とによって、制限情報を確認することができる。
【００２８】
さらに本発明は、前記情報処理装置と、
通信網を介して他の通信装置と通信する通信手段とを含み、
コンテンツ情報は、通信手段によって通信網を介して取得した情報であることを特徴とする通信装置である。
【００２９】
本発明に従えば、コンテンツ情報は、通信手段によって通信網を介して取得した情報である。通信手段によって取得したコンテンツ情報は、使用制限が存在することが多いが、このようなコンテンツ情報であっても、操作者は制限情報を容易に確認することができる。
【００３０】
さらに本発明は、通信装置は、携帯形通信装置であることを特徴とする。
本発明に従えば、通信装置は、携帯形通信装置である。携帯形通信装置は、携帯性を向上するため、表示手段が小形であるが、このような表示手段が小形の携帯形通信装置であっても、制限情報を少ない表示領域によって表示させることができる。これによって操作者は、携帯形通信装置のように表示手段が小形のものであっても、制限情報を容易に確認することができる。
【発明の効果】
【００３１】
本発明によれば、操作者は、識別情報の一覧を視認すると、制限情報も視認することができる。これによって制限情報の確認が容易となり、使用制限に応じて、各コンテンツ情報を使用することができる。したがって利便性が向上する。操作者の便宜と操作性を大幅に向上させることができる。
【００３２】
また本発明によれば、表示色によって、制限情報を容易に確認することができる。
さらに本発明によれば、表示手段がカラー表示できないような構成であっても、操作者は、文字のフォントによって制限情報を確認することができる。
【００３３】
さらに本発明によれば、操作者がその内容を容易に認識できるキャラクタを用いることによって、小さい表示領域であって、多くの情報を操作者に表示することができる。
【００３４】
さらに本発明によれば、操作者は、文字情報によって各コンテンツ情報の制限情報を確認することができる。
【００３５】
さらに本発明によれば、操作者は、選択した識別情報に対応する制限情報を、文字情報によって確認することができる。
【００３６】
さらに本発明によれば、文字情報を近接領域に重畳して表示させるので、表示手段による表示領域が小さい場合であっても、制限情報を確認することができる。
【００３７】
さらに本発明によれば、操作者は、表示色と文字情報とによって、制限情報を確認することができる。
【００３８】
さらに本発明によれば、コンテンツ情報であっても、操作者は制限情報を容易に確認することができる。
【００３９】
さらに本発明によれば、操作者は、携帯形通信装置のように表示手段が小形のものであっても、制限情報を容易に確認することができる。
【発明を実施するための最良の形態】
【００４０】
図１は、本発明の実施の一形態の携帯形通信装置１の電気的構成を示すブロック図である。携帯形通信装置１は、情報処理装置であって、たとえば操作者が携帯して用いることが容易な通信装置である。携帯形通信装置１は、表示部２、中央処理装置（Central
Processing Unit：略称ＣＰＵ）３、マイク部４、時計部５、記憶部６、鳴動部７、入力部８、通信部９および無線部１０を含んで構成される。
【００４１】
表示部２は、表示手段であって、情報を表示する。表示部２は、記憶部６に記憶されるプログラムにしたがって、たとえば画像情報または文字情報を表示する。表示部２は、ＣＰＵ３から与えられる情報、たとえば画像情報また文字情報に変換し、変換した情報を表示する。表示される情報は、たとえば通信部９から与えられた情報、および記憶部６に記憶される情報である。表示部２は、たとえばカラー表示可能な液晶ディスプレイ（Liquid
Crystal Display：略称ＬＣＤ）によって実現される。
【００４２】
入力部８は、選択手段であって、情報を入力するための複数のキーを備える。入力部８は、テンキー、ファンクションキーおよびカーソルキーなどを備える。入力部８は、入力部８によって入力された情報をＣＰＵ３に与える。テンキーは、たとえば電話番号などの入力に用いられる。ファンクションキーは、たとえば呼出音の音量設定などの各種設定などを行うためのキーである。カーソルキーは、カーソルの移動などに用いられる。
【００４３】
鳴動部７は、音出力手段であって、ＣＰＵ３から与えられる音声情報を外部に出力する。また鳴動部７は、振動発生手段であって、ＣＰＵ３から与えられる情報に基づいて振動する。
【００４４】
記憶部６は、記憶手段であって、たとえばフラッシュメモリなどの半導体装置から成り、ＣＰＵ３の制御に用いられるプログラムなどを記憶する。記憶部６は、ＣＰＵ３から与えられる情報、たとえば画像情報および音声情報を記憶する。
【００４５】
記憶部６は、リードオンリーメモリロム（Read Only Memory：略称ＲＯＭ）１１、およびランダムアクセスメモリ（Random Access Memory：略称ＲＡＭ）１２を含んで構成される。ＲＯＭ１１は、ＣＰＵ３の制御に用いられるプログラム、および各種のデータが記憶される。ＲＯＭ１１は、ＣＰＵ３から与えられた制御指令に従って、記憶されるプログラムを実行する。ＲＡＭ１２は、ＣＰＵ３が各部を制御するためのデータが、一時記憶される。ＲＡＭ１２は、操作者が入力したデータ、またはダウンロードした画像情報またはサウンド情報などコンテンツ情報が、一時記憶される。
【００４６】
無線部１０は、通信手段であって、通信網、たとえばインターネット網または公衆回線網の状況を監視するとともに、通信網から与えられる情報を通信部９に与える。無線部１０は、通信部９から与えられる送信情報を通信網を介して他の通信装置に与える。
【００４７】
通信部９は、無線部１０から与えられる情報の解析して、ＣＰＵ３に与える。また通信部９は、ＣＰＵ３から与えられる情報を無線部１０に与える。
【００４８】
時計部５は、内蔵時計によって実現され、ＣＰＵ３から与えられた制御指令によって指定時刻が設定され、現在時刻が指定時刻になると指定時刻であることを示すアラーム指令をＣＰＵ３に与える。また時計部５は、ＣＰＵ３から与えられる指令に基づいて、現在日時に基づく情報をＣＰＵ３に与える。
【００４９】
マイク部４は、音声情報が与えられ、与えられた音声情報をＣＰＵ３に与える。
ＣＰＵ３は、制御手段であって、記憶部６に記憶されるプログラムとあいまって、与えられる指令情報などに基づいて、携帯形通信装置１全体の動作を決定する。動作が決定すると、ＣＰＵ３は、各部に対して指令情報を与える。ＣＰＵ３は、たとえばマイクロコンピュータなどの処理回路によって実現される。
【００５０】
記憶部６は、複数のコンテンツ情報を記憶する。記憶部６は、各コンテンツ情報に使用制限が存在する場合、その使用制限に関する制限情報を関連付けて記憶する。制限情報は、たとえば使用回数を制限する使用回数制限、使用期間を制限する使用期間制限、または転送の可否を制限する転送制限などを示す情報がある。このような制限情報は、たとえばOpen Mobile Allianceという団体によってDigital Right Management Version1.0 (OMA-DRM-v1_0-20031113-C)で規定されている。
【００５１】
ＣＰＵ３は、各コンテンツ情報に使用制限が存在する場合、その使用制限に関する制限情報を関連付けて記憶するように記憶部６を制御し、記憶部６に記憶されるコンテンツ情報を識別する識別情報、たとえばコンテンツ名の一覧を表示するにあたって、使用制限に応じた表示形態で表示するように表示部２を制御する。
【００５２】
表１に、記憶部６に記憶される情報であって、コンテンツ名、使用制限、現在の状態および保存日時を示す情報の一例を示す表である。
【００５３】
【表１】
2006092307.tif 000003
【００５４】
表１に示すように、７種類のコンテンツ情報に関する各種の情報が記憶されている。
表１に示される使用制限を大別すると、使用制限なしのコンテンツ情報と、使用制限は存在するが、現時点では使用可能であるコンテンツ情報と、使用制限によって使用不可であるコンテンツ情報、または使用する権利を取得していないコンテンツ情報とがある。
【００５５】
コンテンツ情報を記憶部６に記憶するとき、これらの制限情報も関連付けて記憶部６に記憶する。コンテンツ情報を記憶部６から読み出すとき、関連付けて記憶される情報も制限情報も同時に読み出す。操作者がコンテンツ情報を使用した場合、使用したことによって制限情報が変化したとき、たとえば使用回数をカウントアップするなどして制限情報を変更して、変更後の制限情報を記憶部６に記憶させる。
【００５６】
図２は、ＣＰＵ３の処理手順を示すフローチャートである。ＣＰＵ３は、入力部８からコンテンツ名の一覧を表示するような指令が与えられると、本フローが開始される。ステップａ０にて、コンテンツ情報のカウント数Ｎを初期値１に設定し、フローが開始され、ステップａ１に移る。ステップａ１では、ＣＰＵ３は、Ｎ件目の識別情報であるコンテンツ名を記憶部６から読み出し、ステップａ２に移る。
【００５７】
ステップａ２では、ＣＰＵ３は、Ｎ件目のコンテンツ名に関連付けられて記憶されている制限情報を記憶部６から読み出し、ステップａ３に移る。ステップａ３では、ＣＰＵ３は、制限情報が転送禁止を示す情報であるか否かを判断し、転送禁止である場合、ステップａ１１に移り、転送禁止でない場合、ステップａ４に移る。ステップａ１１では、ＣＰＵ３は、Ｎ件目のコンテンツ名を示す文字情報を転送禁止であることを示す表示色、たとえば茶色によって表示するように表示部２を制御し、ステップａ７に移る。
【００５８】
ステップａ４では、ＣＰＵ３は、制限情報が使用期間制限を示す情報であるか否かを判断し、使用期間制限を示す情報である場合、ステップａ１２に移り、使用期間制限を示す情報でない場合、ステップａ５に移る。ステップａ１２では、使用期間の残余期間に基づいてコンテンツ名の表示色を決定する処理である使用期間制御処理を行って、表示色を決定し、ステップａ７に移る。
【００５９】
ステップａ５では、ＣＰＵ３は、制限情報が使用回数制限を示す情報であるか否かを判断し、使用回数制限を示す情報である場合、ステップａ１３に移り、使用回数制限を示す情報でない場合、ステップａ６に移る。ステップａ１３では、使用回数の残余回数に基づいてコンテンツ名の表示色を決定する処理である使用回数制御処理を行って、表示色を決定し、ステップａ７に移る。ステップａ６では、ＣＰＵ３は、Ｎ件目のコンテンツ名を示す文字情報を使用制限がない情報であることを示す表示色、たとえば黒色によって表示するように表示部２を制御し、ステップａ７に移る。
【００６０】
ステップａ７では、ＣＰＵ３は、表示部２のコンテンツ名の一覧を表示する領域のＮ番目の行にコンテンツ名を表示するように、表示部２を制御し、ステップａ８に移る。ステップａ８では、ＣＰＵ３は、他に表示すべきコンテンツ名の有無を判断し、他に表示すべきコンテンツ名がない場合、ステップａ１０に移り、他に表示すべきコンテンツ名がある場合、ステップａ９に移る。ステップａ９では、ＣＰＵ３は、数値Ｎを１増加させて、表示する行の位置を移動し、ステップａ１に移る。ステップａ１０にて、一連の動作を終了する。
【００６１】
図３は、ＣＰＵ３の処理手順を示すフローチャートであって、図２のステップａ１２に対応する使用期間制限処理を示すフローチャートである。ＣＰＵ３は、図２に示すステップがステップａ１２に移ると、本フローが開始される。ステップｂ１では、ＣＰＵ３は、記憶部６に記憶されている制限情報を読み出して、使用期間の期限である期限日を示す情報を読み込み、ステップｂ２に移る。ステップｂ２では、ＣＰＵ３は、時計部５から現在の日付を示す情報を読み出し、ステップｂ３に移る。
【００６２】
ステップｂ３では、ＣＰＵ３は、期限日と現在日とから使用期間を過ぎているか否かを判断し、使用期限を過ぎている場合、ステップｂ５に移り、使用期限内である場合、ステップｂ４に移る。ステップｂ５では、ＣＰＵ３は、Ｎ件目のコンテンツ名を示す文字情報を使用不可であることを示す表示色、たとえば灰色によって表示するように表示部２を制御し、ステップｂ８に移る。
【００６３】
ステップｂ４では、ＣＰＵ３は、期限日と現在日とから、期限日まで１０日以内であるか否かを判断し、１０日以内である場合、ステップｂ６に移り、１０日以内でない場合、ステップｂ７に移る。ステップｂ６では、ＣＰＵ３は、Ｎ件目のコンテンツ名を示す文字情報を使用期間の残余期間が残り少ないことを示す表示色、たとえば黄色によって表示するように表示部２を制御し、ステップｂ８に移る。ステップｂ７では、ＣＰＵ３は、Ｎ件目のコンテンツ名を示す文字情報を使用期間の残余期間に余裕があることを示す表示色、たとえば緑色によって表示するように表示部２を制御し、ステップｂ８に移る。ステップｂ８にて、図３に示す一連の動作を終了し、図２に示すステップａ７に移る。
【００６４】
図４は、ＣＰＵ３の処理手順を示すフローチャートであって、図２のステップａ１３に対応する使用回数制限処理を示すフローチャートである。ＣＰＵ３は、図２に示すステップがステップａ１３に移ると、本フローが開始される。ステップｃ１では、ＣＰＵ３は、記憶部６からコンテンツ情報の使用回数を示す情報を読み出し、ステップｃ２に移る。ステップｃ２では、ＣＰＵ３は、記憶部６に記憶されている制限情報を読み出して、使用可能回数示す情報を読み込み、ステップｃ３に移る。
【００６５】
ステップｃ３では、ＣＰＵ３は、使用可能回数が残っているか否かを判断し、使用回数が残っていない場合、ステップｃ５に移り、使用可能回数が残っている場合、ステップｃ４に移る。ステップｃ５では、ＣＰＵ３は、Ｎ件目のコンテンツ名を示す文字情報を使用不可であることを示す表示色、たとえば灰色によって表示するように表示部２を制御し、ステップｃ８に移る。
【００６６】
ステップｃ４では、ＣＰＵ３は、使用回数と使用可能回数とから、使用可能回数が１０回以下であるか否かを判断し、１０回以下である場合、ステップｃ６に移り、１０回より多い場合、ステップｃ７に移る。ステップｃ６では、ＣＰＵ３は、Ｎ件目のコンテンツ名を示す文字情報を使用可能回数が残り少ないことを示す表示色、たとえば赤色によって表示するように表示部２を制御し、ステップｃ８に移る。ステップｃ７では、ＣＰＵ３は、Ｎ件目のコンテンツ名を示す文字情報を使用可能回数に余裕があることを示す表示色、たとえば青色によって表示するように表示部２を制御し、ステップｃ８に移る。ステップｃ８にて、図４に示す一連の動作を終了し、図２に示すステップａ７に移る。
【００６７】
表２に、記憶部６に記憶される情報であって、コンテンツ名、使用制限および現在の状態を示す情報と、コンテンツ名の表示色の関係の一例を示す表である。
【００６８】
【表２】
2006092307.tif 000004
【００６９】
前述の図２〜図４に示すＣＰＵ３の処理によって、コンテンツ名の表示色が決定される。表２に示すように、コンテンツ名を示す文字情報の表示色は、使用制限なしの場合は黒色に、転送不可の場合は茶色に、使用回数制限の残余回数が１０回より多い場合は青色に、使用回数制限の残余回数が１０回以下の場合は赤色に、使用期間制限の残余期間が１０日より多い場合は緑色に、使用期間制限の残余期間が１０日以下の場合は黄色に、および期限切れなどで使用できない、またはまだ使用する権利を取得していない場合は灰色に設定される。使用回数制限によって使用回数の限度が設定され、使用回数制限の残余回数は、使用回数制限によって設定された最大使用回数から使用回数を除いた残余の回数である。使用期間制限によって使用期間の限度が設定され、使用期間制限の残余期間は、使用期間制限によって設定された最大使用期間から使用期間を除いた残余の期間である。
【００７０】
図５は、表示部２に表示されるコンテンツ名の一覧を示す図である。ＣＰＵ３は、コンテンツ名の一覧を表示するように指令が与えられると、コンテンツ名の一覧を表示するように、表示部２を制御する。これによってコンテンツ名の一覧が、表示部２によって表示される。表２に関連して説明したように、コンテンツ名の一覧を表示する場合、使用制限に応じて異なる表示色によってコンテンツ名の文字情報を表示する。
【００７１】
図６は、携帯形通信装置１を示す正面図であり、図７は、携帯形通信装置１を示す側面図である。携帯形通信装置１は、携帯性および利便性の観点から、小形および軽量化されている。したがって表示部２の表示領域は、装置が小形化するにつれて、小さくなる。このような表示領域の小さい、換言すると表示可能な情報量が少ないような装置に、本発明は好適に用いることができる。
【００７２】
以上説明したように、本実施の形態の携帯形通信装置１によれば、ＣＰＵ３によって、各コンテンツ情報と制限情報とが関連付けられて記憶部６に記憶される。ＣＰＵ３は、コンテンツ名の一覧を表示するにあたって、コンテンツ名に関連付けられる制限情報に基づいて、使用制限に応じた表示形態でコンテンツ名を表示するように表示部２を制御する。したがってコンテンツ名の一覧では、使用制限に応じて、コンテンツ名を異なった表示形態で表示される。これによって操作者は、コンテンツ名の一覧を視認すると、制限情報も視認することができる。これによって制限情報の確認が容易となり、使用制限に応じて、各コンテンツ情報を使用することができる。したがって利便性が向上する。
【００７３】
また本実施の形態では、ＣＰＵ３は、使用制限に応じた異なる表示色でコンテンツ名を表示させる。ＣＰＵ３は、使用制限に応じた異なる表示色でコンテンツ名を示す文字情報を表示させる。これによって操作者は、表示色によって各コンテンツ情報の制限情報を確認することができる。したがって操作者は、コンテンツ名を表示する表示色を見るだけでコンテンツ情報の使用制限の状態を確認することができる。
【００７４】
また本実施の形態では、コンテンツ情報は、通信部９によって通信網を介して取得した情報である。通信部９によって取得したコンテンツ情報は、使用制限が存在することが多いが、このようなコンテンツ情報であっても、操作者は制限情報を容易に確認することができる。
【００７５】
また本実施の形態では、情報処理装置は、携帯形通信装置１によって実現される。携帯形通信装置１は、携帯性を向上するため、表示部２が小形であるが、このような表示部２が小形の携帯形通信装置１であっても、制限情報を少ない表示領域によって表示させることができる。これによって操作者は、携帯形通信装置１のように表示部２が小形のものであっても、制限情報を容易に確認することができる。
【００７６】
図８は、本発明の実施の他の形態の携帯形通信装置の表示部２に表示されるコンテンツ名の一覧を示す図である。本実施の形態の携帯形通信装置は、前述の図１〜図７の携帯形通信装置１と類似しており、本実施の形態の構成には前述の携帯形通信装置１における対応する構成と同一の参照符号を付し、異なる構成についてだけ説明し、同様の構成については説明を省略する。本実施の形態では、コンテンツ名の一覧を表示させる場合に、異なる表示色で表示させることに特徴を有する。
【００７７】
ＣＰＵ３は、使用制限に応じた異なる表示色でコンテンツ名を表示させる。ＣＰＵ３は、コンテンツ名を示す文字情報が表示される領域の表示色を、使用制限に応じた異なるように表示させる。
【００７８】
表３に、記憶部６に記憶される情報であって、コンテンツ名、使用制限および現在の状態を示す情報と、コンテンツ名の背景の表示色の関係の一例を示す表である。
【００７９】
【表３】
2006092307.tif 000005
【００８０】
前述の実施の形態と同様に、コンテンツ名の背景の表示色が決定される。表３に示すように、コンテンツ名の文字情報の背景の表示色は、使用制限なしの場合は白色に、転送不可の場合は薄い茶色に、使用回数制限の残余回数が１０回より多い場合は薄い青色に、使用回数制限の残余回数が１０回以下の場合は薄い赤色に、使用期間制限の残余期間が１０日より多い場合は薄い緑色に、使用期間制限の残余期間が１０日以下の場合は薄い黄色に、および期限切れなどで使用できない、またはまだ使用する権利を取得していない場合は薄い灰色に設定される。図８に示すように、コンテンツ名の一覧を表示する場合、使用制限に応じて異なる背景の表示色によってコンテンツ名の文字情報を表示する。
【００８１】
以上説明したように本実施の形態では、ＣＰＵ３は、コンテンツ名を示す文字情報が表示される領域の表示色を、使用制限に応じた異なるように表示させる。表示部２の機能に制限があるため、文字色を変更して表示させることができない場合がある。このような場合でも、文字表示の各行の背景色が変更可能である表示部２であれば、文字色を変更する替わりに背景色を変更させることによって、使用制限の状態を確認することができる。したがって前述の実施の形態と同様の効果を達成することができる。
【００８２】
図９は、本発明の実施のさらに他の形態の携帯形通信装置の表示部２に表示されるコンテンツ名の一覧を示す図である。本実施の形態の携帯形通信装置は、前述の図１〜図８の携帯形通信装置１と類似しており、本実施の形態の構成には前述の携帯形通信装置１における対応する構成と同一の参照符号を付し、異なる構成についてだけ説明し、同様の構成については説明を省略する。本実施の形態では、コンテンツ名の一覧を表示させる場合に、異なるフォントでコンテンツ名を表示させることに特徴を有する。
【００８３】
ＣＰＵ３は、使用制限に応じた異なる文字のフォントでコンテンツ名を表示させる。フォントは、パソコンなどのコンピュータで使われる文字のデザインや、その形のデータのことある。
【００８４】
表４に、記憶部６に記憶される情報であって、コンテンツ名、使用制限および現在の状態を示す情報と、コンテンツ名の表示フォントの関係の一例を示す表である。
【００８５】
【表４】
2006092307.tif 000006
【００８６】
前述の実施の形態と同様に、コンテンツ名のフォントが決定される。表４に示すように、コンテンツ名を示す文字情報のフォントは、使用制限なしの場合はメニューなどに用いられる普通のフォントに、転送不可の場合は太字かつ斜体のフォントに、使用回数制限の残余回数が１０回より多い場合は太字のフォントに、使用回数制限の残余回数が１０回以下の場合は太字かつ斜体のフォントに、使用期間制限の残余期間が１０日より多い場合は太字のフォントに、使用期間制限の残余期間が１０日以下の場合は太字かつ斜体のフォントに、および期限切れなどで使用できない、またはまだ使用する権利を取得していない場合は斜体のフォントに設定される。図９に示すように、コンテンツ名の一覧を表示する場合、使用制限に応じて異なるフォントによってコンテンツ名の文字情報を表示する。
【００８７】
以上説明したように本実施の形態では、ＣＰＵ３は、使用制限に応じた異なる文字のフォントで識別情報を表示させる。これによって操作者は、文字のフォントによって各コンテンツ情報の制限情報を確認することができる。また表示部２がカラー表示できないような構成であっても、操作者は、文字のフォントによって制限情報を確認することができる。したがって前述の実施の形態と同様の効果を達成することができる。フォントは、太字や斜体のフォントに限るものではなく、たとえばゴシック体および明朝体などを使用して、より詳しい表示を行ってもよい。
【００８８】
図１０は、本発明の実施のさらに他の形態の携帯形通信装置の表示部２に表示されるコンテンツ名の一覧を示す図である。本実施の形態の携帯形通信装置は、前述の図１〜図９の携帯形通信装置１と類似しており、本実施の形態の構成には前述の携帯形通信装置１における対応する構成と同一の参照符号を付し、異なる構成についてだけ説明し、同様の構成については説明を省略する。本実施の形態では、コンテンツ名の一覧を表示させる場合に、キャラクタを付加してコンテンツ名を表示させることに特徴を有する。
【００８９】
ＣＰＵ３は、使用制限に応じた異なるキャラクタを付加してコンテンツ名を表示させる。表５に、記憶部６に記憶される情報であって、コンテンツ名、使用制限および現在の状態を示す情報と、表示アイコン２０の関係の一例を示す表である。本実施の形態では、キャラクタはアイコン２０によって実現される。
【００９０】
【表５】
2006092307.tif 000007
【００９１】
アイコン２０は、表５に示すように、複数、たとえば４種類のアイコンＡ〜アイコンＤが設定される。前述の実施の形態と同様に、図２〜図４に示される処理手順によって、アイコン２０が決定される。アイコンＡは、鍵を模した絵柄によって表され、アイコンＢおよびアイコンＣは、砂時計を模した絵柄によって表され、アイコンＤは、「ＳＴＯＰ」の文字情報を示す絵柄によって表される。
【００９２】
表５に示すように、コンテンツ名に付加されるアイコン２０は、使用制限なしの場合は未表示に、転送不可の場合はアイコンＡに、使用回数制限の残余回数が１０回より多い場合はアイコンＢに、使用回数制限の残余回数が１０回以下の場合はアイコンＣに、使用期間制限の残余期間が１０日より多い場合はアイコンＢに、使用期間制限の残余期間が１０日以下の場合はアイコンＣに、および期限切れなどで使用できない、またはまだ使用する権利を取得していない場合はアイコンＤに設定される。図１０に示すように、コンテンツ名の一覧を表示する場合、コンテンツ名を示す文字情報に近接した領域、たとえば前記文字情報の左右の領域に、使用制限に応じて異なるアイコン２０を表示する。
【００９３】
以上説明したように本実施の形態では、ＣＰＵ３は、使用制限に応じた異なるアイコン２０を付加してコンテンツ名を表示させる。これによって操作者は、アイコン２０によって各コンテンツ情報の制限情報を確認することができる。操作者がその内容を容易に認識できるアイコン２０を用いることによって、小さい表示領域であって、多くの情報を操作者に表示することができる。したがって前述の実施の形態と同様の効果を達成することができる。
【００９４】
図１１は、本発明の実施のさらに他の形態の携帯形通信装置の表示部２に表示されるコンテンツ名の一覧を示す図である。本実施の形態の携帯形通信装置は、前述の図１〜図１０の携帯形通信装置１と類似しており、本実施の形態の構成には前述の携帯形通信装置１における対応する構成と同一の参照符号を付し、異なる構成についてだけ説明し、同様の構成については説明を省略する。本実施の形態では、コンテンツ名の一覧を表示させる場合に、使用制限に応じた文字情報を付加して表示させることに特徴を有する。
【００９５】
ＣＰＵ３は、使用制限に応じた文字情報を付加してコンテンツ名を表示させる。表６に、記憶部６に記憶される情報であって、コンテンツ名、使用制限および現在の状態を示す情報の一例を示す表である。
【００９６】
【表６】
2006092307.tif 000008
【００９７】
図１１に示すように、コンテンツ情報の制限情報を示す文字情報を、コンテンツ名に隣接した制限情報表示領域２１に表示させる。制限情報を示す文字情報は、コンテンツ名の列に隣接した列に表示するように制御される。
【００９８】
図１２は、本発明の実施の形態の携帯形通信装置の表示部２に表示されるコンテンツ名の一覧の他の例を示す図である。図１２は、図１１と同様に、コンテンツ情報の制限情報を示す文字情報を、コンテンツ名に隣接した領域１９に表示させる。図１２に示すように、コンテンツ名と制限情報を示す文字情報とは、交互に表示するように制御される。
【００９９】
以上説明したように本実施の形態では、ＣＰＵ３は、使用制限に応じた文字情報を付加してコンテンツ名を表示させる。これによって操作者は、このコンテンツ名の文字情報が表示される領域の近辺に領域１９に表示されている文字情報を見れば、そのコンテンツ情報の使用制限に関する状態を確認することが可能になる。したがって前述の実施の形態と同様の効果を達成することができる。
【０１００】
図１３は、本発明の実施のさらに他の形態の本実施の形態の携帯形通信装置のＣＰＵ３の処理手順を示すフローチャートである。本実施の形態の携帯形通信装置は、前述の図１〜図１２の携帯形通信装置１と類似しており、本実施の形態の構成には前述の携帯形通信装置１における対応する構成と同一の参照符号を付し、異なる構成についてだけ説明し、同様の構成については説明を省略する。本実施の形態では、コンテンツ名の一覧を表示させる場合に、使用制限に応じた文字情報を、予め定める制限情報表示領域２１に表示させることに特徴を有する。
【０１０１】
ＣＰＵ３は、入力部８からコンテンツ名の一覧を表示するような指令が与えられると、ステップｄ０にて、本フローが開始され、ステップｄ１に移る。ステップｄ１では、ＣＰＵ３は、入力部８から与えられた入力情報に基づいて、カーソルによって選択されたコンテンツ名を記憶部６から読み出し、ステップｄ２に移る。
【０１０２】
ステップｄ２では、ＣＰＵ３は、選択されたコンテンツ名に関連付けられて記憶されている制限情報を記憶部６から読み出し、ステップｄ３に移る。ステップｄ３では、ＣＰＵ３は、制限情報が転送禁止を示す情報であるか否かを判断し、転送禁止である場合、ステップｄ１１に移り、転送禁止でない場合、ステップｄ４に移る。ステップｄ１１では、ＣＰＵ３は、制限情報表示領域２１に表示される状態文字列を転送禁止であることを示す文字情報、たとえば「転送禁止」とし、ステップｄ７に移る。
【０１０３】
ステップｄ４では、ＣＰＵ３は、制限情報が使用期間制限を示す情報であるか否かを判断し、使用期間制限を示す情報である場合、ステップｄ１２に移り、使用期間制限を示す情報でない場合、ステップｄ５に移る。ステップｄ１２では、使用期間の残余期間に基づいて制限情報表示領域２１に表示させる文字情報を決定する処理である使用期間制御処理を行って、文字情報を決定し、ステップｄ７に移る。
【０１０４】
ステップｄ５では、ＣＰＵ３は、制限情報が使用回数制限を示す情報であるか否かを判断し、使用回数制限を示す情報である場合、ステップｄ１３に移り、使用回数制限を示す情報でない場合、ステップｄ６に移る。ステップｄ１３では、使用回数の残余回数に基づいて制限情報表示領域２１に表示させる文字情報を決定する処理である使用回数制御処理を行って、文字情報を決定し、ステップｄ７に移る。ステップｄ６では、ＣＰＵ３は、制限情報表示領域２１に表示される状態文字列を使用制限がないことを示す文字情報、たとえば「制限なし」とし、ステップｄ７に移る。
【０１０５】
ステップｄ７では、ＣＰＵ３は、制限情報表示領域２１に状態文字列を表示するように、表示部２を制御し、ステップｄ８に移る。ステップｄ８では、ＣＰＵ３は、カーソルが移動したか否かを判断し、カーソルが移動していない場合、ステップｄ９に移り、カーソルが移動され他に表示すべきコンテンツ名が選択された場合、ステップｄ１に移る。ステップｄ９では、入力部８によってコンテンツ名の一覧の表示を中止するような情報が与えられたか否かを判断し、与えられた場合、ステップｄ１０に移り、与えられていない場合、ステップｄ８に移る。ステップｄ１０にて、一連の動作を終了する。
【０１０６】
図１４は、ＣＰＵ３の処理手順を示すフローチャートであって、図１３のステップｄ１２に対応する使用期間制限処理を示すフローチャートである。ＣＰＵ３は、図１３に示すステップがステップｄ１２に移ると、本フローが開始される。ステップｅ１では、ＣＰＵ３は、記憶部６に記憶されている制限情報を読み出して、使用期間の期限である期限日を示す情報を読み込み、ステップｅ２に移る。ステップｅ２では、ＣＰＵ３は、時計部５から現在の日付を示す情報を読み出し、ステップｅ３に移る。
【０１０７】
ステップｅ３では、ＣＰＵ３は、期限日と現在日とから使用期間を過ぎているか否かを判断し、使用期限を過ぎている場合、ステップｅ５に移り、使用期限内である場合、ステップｅ４に移る。ステップｅ５では、ＣＰＵ３は、制限情報表示領域２１に表示される状態文字列を使用期限切れであることを示す文字情報、たとえば「期限切れ」とし、ステップｅ８に移る。
【０１０８】
ステップｅ４では、ＣＰＵ３は、期限日と現在日とから、期限日まで１０日以内であるか否かを判断し、１０日以内である場合、ステップｅ６に移り、１０日以内でない場合、ステップｅ７に移る。ステップｅ６では、ＣＰＵ３は、制限情報表示領域２１に表示される状態文字列を使用期間の残余期間が残り少ないことを示す文字情報、たとえば「残り小」とし、ステップｅ８に移る。ステップｅ７では、ＣＰＵ３は、制限情報表示領域２１に表示される状態文字列を使用期間の残余期間に余裕があることを示す文字情報、たとえば「残余裕あり」とし、ステップｅ８に移る。ステップｅ８にて、図１４に示す一連の動作を終了し、図１３に示すステップｄ７に移る。
【０１０９】
図１５は、ＣＰＵ３の処理手順を示すフローチャートであって、図１３のステップｄ１３に対応する使用回数制限処理を示すフローチャートである。ＣＰＵ３は、図１３に示すステップがステップｄ１３に移ると、本フローが開始される。ステップｆ１では、ＣＰＵ３は、記憶部６からコンテンツ情報の使用回数を示す情報を読み出し、ステップｆ２に移る。ステップｆ２では、ＣＰＵ３は、記憶部６に記憶されている制限情報を読み出して、使用可能回数示す情報を読み込み、ステップｆ３に移る。
【０１１０】
ステップｆ３では、ＣＰＵ３は、使用可能回数が残っているか否かを判断し、使用回数が残っていない場合、ステップｆ５に移り、使用可能回数が残っている場合、ステップｆ４に移る。ステップｆ５では、ＣＰＵ３は、制限情報表示領域２１に表示される状態文字列を使用不可であることを示す文字情報、たとえば「使用不可」とし、ステップｆ８に移る。
【０１１１】
ステップｆ４では、ＣＰＵ３は、使用回数と使用可能回数とから、使用可能回数が１０回以下であるか否かを判断し、１０回以下である場合、ステップｆ６に移り、１０回より多い場合、ステップｆ７に移る。ステップｆ６では、ＣＰＵ３は、制限情報表示領域２１に表示される状態文字列を使用可能回数が残り少ないことを示す文字情報、たとえば「残り小」とし、ステップｆ８に移る。ステップｆ７では、ＣＰＵ３は、制限情報表示領域２１に表示される状態文字列を使用可能回数に余裕があることを示す文字情報、たとえば「残余裕あり」とし、ステップｆ８に移る。ステップｆ８にて、図１５に示す一連の動作を終了し、図１３に示すステップｄ７に移る。
【０１１２】
図１６は、携帯形通信装置の表示部２に表示されるコンテンツ名の一覧を示す図である。前述の図１３〜図１５に関連して説明したように、表示部２にコンテンツ名の一覧が表示さている状態で、操作者は、入力部８によって、１つのコンテンツ名を選択する。ＣＰＵ３は、入力部８によってコンテンツ名が選択されると、前記選択されたコンテンツ名に対応するコンテンツ情報の使用制限に応じた文字情報を、予め定める表示領域である制限情報表示領域２１に表示させる。図１６に示すように、制限情報表示領域２１は、たとえばコンテンツ名の一覧が表示される列の先頭列に隣接する領域が設定される。
【０１１３】
図１７は、制限情報表示領域２１に表示される文字情報を示す図である。制限情報表示領に表示される文字情報は、使用回数制限の残余回数が１０回より多い場合は、図１７（１）に示すように「残余裕あり」、使用回数制限の残余回数が１０回以下の場合は、図１７（２）に示すように「残り小」、使用期間制限の残余期間が１０日より多い場合はｍ図１７（１）に示すように「残余裕あり」、使用期間制限の残余期間が１０日以下の場合は、図１７（２）に示すように「残り小」、および期限切れなどで使用できない、またはまだ使用する権利を取得していない場合は、図１７（３）に示すように「期限切れ」、転送不可の場合は、図１７（４）に示すように「転送不可」、使用制限なしの場合は、図１７（５）に示すように「制限なし」、と表示するように設定される。
【０１１４】
以上説明したように、本実施の形態では、ＣＰＵ３は、入力部８によってコンテンツ名が選択されると、前記選択されたコンテンツ名に対応するコンテンツ情報の使用制限に応じた文字情報を、制限情報表示領域２１に表示させる。これによって操作者は、制限情報表示領域２１を見れば、そのカーソルが指し示すコンテンツ情報の使用制限の状態を確認することができる。したがって前述の実施の形態と同様の効果を達成することができる。
【０１１５】
コンテンツ情報の制限情報が表示される制限情報表示領域２１の背景色は、前記選択されたコンテンツ情報の使用制限に応じて、前述の実施の形態で示したのと同様の処理によって決定されるのがより好ましい。これによって文字情報だけによって表示させるよりも、文字情報と表示色との相乗効果によって、より明確に制限情報を判別可能となる。
【０１１６】
図１８は、本発明の実施のさらに他の形態の携帯形通信装置の表示部２に表示されるコンテンツ名の一覧を示す図である。本実施の形態の携帯形通信装置は、前述の図１〜図１７の携帯形通信装置１と類似しており、本実施の形態の構成には前述の携帯形通信装置１における対応する構成と同一の参照符号を付し、異なる構成についてだけ説明し、同様の構成については説明を省略する。本実施の形態では、コンテンツ名の一覧を表示させる場合に、使用制限に応じた文字情報をコンテンツ名の一覧が表示されている表示領域に重畳して表示させることに特徴を有する。
【０１１７】
ＣＰＵ３は、入力部８によってコンテンツ名が選択されると、前記選択されたコンテンツ名に対応するコンテンツ情報の使用制限に応じた文字情報を、コンテンツ名が表示されている表示領域に近接している近接領域に重畳して表示させる。
【０１１８】
前述の実施の形態で説明したように、表示部２にコンテンツ名の一覧が表示さている状態で、操作者は、入力部８によって、１つのコンテンツ名を選択する。ＣＰＵ３は、入力部８によってコンテンツ名が選択されると、前記選択されたコンテンツ名に対応するコンテンツ情報の使用制限に応じた文字情報を、コンテンツ名に一覧に制限情報表示領域２１を重畳させて表示させる。図１８に示すように、制限情報表示領域２１は、たとえば選択されたコンテンツ名に一部が重畳する領域が設定される。換言すると、ポップアップによって、制限情報表示領域２１を表示させ、制限情報を表示させる。制限情報表示領域２１に表示される文字情報は、前述の図１７に関連して説明した文字情報を同様である。
【０１１９】
制限情報表示領域２１は、カーソルがコンテンツ名に移動した直後、もしくは一定時間後に、小さな文字表示の制限情報表示領域２１であるポップアップウィンドウを表示し、その領域に制限情報を示す文字情報を表示する。このポップアップウィンドウは、一定時間もしくはカーソルが別のコンテンツ名の箇所へ移動すると自動的に消えるよう設定される。
【０１２０】
以上説明したように本実施の形態では、ＣＰＵ３は、入力部８によってコンテンツ名が選択されると、前記選択されたコンテンツ名に対応するコンテンツ情報の使用制限に応じた文字情報を、コンテンツ名が表示されている表示領域に近接している近接領域に重畳して表示させる。これによって操作者は、選択したコンテンツ名に対応する制限情報を、文字情報によって確認することができる。文字情報を近接領域に重畳して表示させるので、表示部２による表示領域が小さい場合であっても、制限情報を確認することができる。したがって前述の実施の形態と同様の効果を達成することができる。
【０１２１】
コンテンツ情報の制限情報が表示される近接領域の背景色は、前記選択されたコンテンツ情報の使用制限に応じて、前述の実施の形態で示したのと同様の処理によって決定されるのがより好ましい。これによって文字情報だけによって表示させるよりも、文字情報と表示色との相乗効果によって、より明確に制限情報を判別可能となる。
【０１２２】
図１９は、本発明の実施のさらに他の形態の携帯形通信装置の表示部２に表示されるコンテンツ名の一覧を示す図である。図２０は、表示部２に表示されるコンテンツ名と制限情報とを示す図である。本実施の形態の携帯形通信装置は、前述の図１〜図１８の携帯形通信装置１と類似しており、本実施の形態の構成には前述の携帯形通信装置１における対応する構成と同一の参照符号を付し、異なる構成についてだけ説明し、同様の構成については説明を省略する。本実施の形態では、１つコンテンツ名と、前記コンテンツ名に対応するコンテンツ情報の使用制限に応じた文字情報とだけを表示させるときの表示方法に特徴を有する。
【０１２３】
ＣＰＵ３は、１つコンテンツ名と、前記コンテンツ名に対応するコンテンツ情報の使用制限に応じた文字情報とだけを表示させるにあたって、使用制限に応じた表示色で前記コンテンツ名と前記文字情報とを表示させる。
【０１２４】
図１９に示すように、表示部２にコンテンツ名の一覧が表示さている状態で、操作者は、入力部８によって、１つのコンテンツ名、たとえば「ＳＳファンタジー」２２を選択する。ＣＰＵ３は、入力部８によってコンテンツ名が選択されると、図２０に示すように、前記選択されたコンテンツ名を示す文字情報と、前記選択されたコンテンツ名に対応するコンテンツ情報の使用制限に応じた文字情報とだけを詳細に表示させる。図２０の示すように、制限情報は、たとえば選択されたコンテンツ名に対応するコンテンツ情報のサイズ、最終使用日時、またはダウンロード日時など、コンテンツ情報に付随した詳細情報が表示される。
【０１２５】
コンテンツ名と、制限情報が表示される背景色またはコンテンツ名の表示色は、前記選択されたコンテンツ情報の使用制限に応じて、前述の実施の形態で示したのと同様の処理によって決定されるのがより好ましい。これによって文字情報だけによって表示させるよりも、文字情報と表示色との相乗効果によって、より明確に制限情報を判別可能となる
以上説明したように、本実施の形態によれば、ＣＰＵ３は、１つコンテンツ名と、前記コンテンツ名に対応するコンテンツ情報の使用制限に応じた文字情報とだけを表示させるにあたって、使用制限に応じた表示色で前記コンテンツ名と前記文字情報とを表示させる。これによって操作者は、表示色と文字情報とによって、制限情報を確認することができる。したがって前述の実施の形態と同様の効果を達成することができる。
【０１２６】
前述の実施の形態は、本発明の例示に過ぎず、本発明の範囲内において構成を変更することができる。またたとえば前述の各実施の形態を適宜組合せるようにしてもよい。
【０１２７】
前述の実施の各形態では、コンテンツ情報およびその制限情報の配布、操作者側での検証、および無効時の処理については、様々な形態が考案され実施されているが、本発明では、それらの実施形態に依存することはない。
【０１２８】
前述の実施の各形態では、使用回数および使用期限に基づいて表示色を分類しているが、この分類方法に限定されるものではない。表示色は、たとえば操作者が設定するように構成してもよい。表示色は、コンテンツ情報が使用度の残余度が少なくなるにしたがって、使用度の残余度が多い場合よりも、注意喚起力を起こすように設定するのが好ましい。たとえば表示色は、残余度が少なくなるにしたがって、明度の差が大きくなるように設定することが好ましい。使用制限に応じて異なる表示色、フォントまたはアイコンは、操作者にとって、直感的に使用制限が認識することができるように設定することが好ましい。
【０１２９】
携帯形通信装置では、操作者が移動することによって、屋内または屋外など使用環境が異なるので、このように使用環境が異なっても制限情報を明確に確認することができるように、表示色を設定することが好ましい。
【０１３０】
また使用制限に応じて、コンテンツ名を点滅させるなどして、表示形態を異ならせて注意換気力を促すようにしてもよい。コンテンツ名を点滅させるにあたっては、点滅させる間隔を一定間隔ではなく、異なるように設定することによって、より注意換気力の効果を高めることができる。
【０１３１】
またコンテンツ名の一覧を表示させる場合に、制限情報に基づいて使用度の残余度が少ないコンテンツ名から順番に表示させるように表示部２を制御してもよい。これによって操作者は、コンテンツ名の一覧を一見して、その先頭にあるコンテンツ名または末端あるコンテンツ名に関連付けられるコンテンツ情報が、使用度の残余度が少ないことを認識することができる。
【０１３２】
またコンテンツ名の一覧を表示さている状態で、カーソルを移動させてコンテンツ名を選択すると、使用制限に応じて、鳴動部７の出力する音声、または振動によって、操作者に使用度の残余度を報知するように、ＣＰＵ３は鳴動部７を制御してもよい。これによって操作者は、視覚、触覚および聴覚によって、コンテンツ情報の制限情報を認識することができる。これによってより確実に使用度の残余度の多寡を認識することができる。
【０１３３】
また文字情報を表示させる場合。表示色とフォントとを組み合わせて表示すると、さらに操作者は容易に使用制限の状態を容易に確認することができる。
【０１３４】
また使用制限に応じてコンテンツ名に付加されるキャラクタは、アイコンに限ることはなく、たとえばアンダーライン、または「○」もしくは「×」などのキャラクタを付加してもよい。このようなキャラクタを、使用度の残余度数に応じて点滅せさるよう表示部２を制御することによって、さらに注意換気力を高めることができる。
【０１３５】
また識別情報は、コンテンツ名に限ることはなく、たとえば識別コードまたはコンテンツ名の略称であってもよい。
【図面の簡単な説明】
【０１３６】
【図１】本発明の実施の一形態の携帯形通信装置１の電気的構成を示すブロック図である。
【図２】ＣＰＵ３の処理手順を示すフローチャートである。
【図３】ＣＰＵ３の処理手順を示すフローチャートであって、図２のステップａ１２に対応する使用期間制限処理を示すフローチャートである。
【図４】ＣＰＵ３の処理手順を示すフローチャートであって、図２のステップａ１３に対応する使用回数制限処理を示すフローチャートである。
【図５】表示部２に表示されるコンテンツ名の一覧を示す図である。
【図６】携帯形通信装置１を示す正面図である。
【図７】携帯形通信装置１を示す側面図である。
【図８】本発明の実施の他の形態の携帯形通信装置の表示部２に表示されるコンテンツ名の一覧を示す図である。
【図９】本発明の実施のさらに他の形態の携帯形通信装置の表示部２に表示されるコンテンツ名の一覧を示す図である。
【図１０】本発明の実施のさらに他の形態の携帯形通信装置の表示部２に表示されるコンテンツ名の一覧を示す図である。
【図１１】本発明の実施のさらに他の形態の携帯形通信装置の表示部２に表示されるコンテンツ名の一覧を示す図である。
【図１２】本発明の実施の形態の携帯形通信装置の表示部２に表示されるコンテンツ名の一覧の他の例を示す図である。
【図１３】本発明の実施のさらに他の形態の本実施の形態の携帯形通信装置のＣＰＵ３の処理手順を示すフローチャートである。
【図１４】ＣＰＵ３の処理手順を示すフローチャートであって、図１３のステップｄ１２に対応する使用期間制限処理を示すフローチャートである。
【図１５】ＣＰＵ３の処理手順を示すフローチャートであって、図１３のステップｄ１３に対応する使用回数制限処理を示すフローチャートである。
【図１６】携帯形通信装置の表示部２に表示されるコンテンツ名の一覧を示す図である。
【図１７】制限情報表示領域２１に表示される文字情報を示す図である。
【図１８】本発明の実施のさらに他の形態の携帯形通信装置の表示部２に表示されるコンテンツ名の一覧を示す図である。
【図１９】本発明の実施のさらに他の形態の携帯形通信装置の表示部２に表示されるコンテンツ名の一覧を示す図である。
【図２０】表示部２に表示されるコンテンツ名と制限情報とを示す図である。
【符号の説明】
【０１３７】
１  携帯形通信装置
２  表示部
３  ＣＰＵ
６  記憶部
９  通信部
【図１】
2006092307.tif 000009
【図２】
2006092307.tif 000010
【図３】
2006092307.tif 000011
【図４】
2006092307.tif 000012
【図５】
2006092307.tif 000013
【図６】
2006092307.tif 000014
【図７】
2006092307.tif 000015
【図８】
2006092307.tif 000016
【図９】
2006092307.tif 000017
【図１０】
2006092307.tif 000018
【図１１】
2006092307.tif 000019
【図１２】
2006092307.tif 000020
【図１３】
2006092307.tif 000021
【図１４】
2006092307.tif 000022
【図１５】
2006092307.tif 000023
【図１６】
2006092307.tif 000024
【図１７】
2006092307.tif 000025
【図１８】
2006092307.tif 000026
【図１９】
2006092307.tif 000027
【図２０】
2006092307.tif 000028